(57)【要約】 【課題】被取付器具を安定、且つ確実に支持できるとともに、大きな操作力を要することなく容易に被取付器具から取り外すことができる先端連結工具およびこの先端連結工具を用いて被取付器具を電線などに安定、且つ確実に取り付けることができる取付工法を提供する。【解決手段】外周面にねじ溝７が形成された工具基体部４と、操作軸１２が外方に突設されてねじ溝７に螺合された固定ねじ１１と、工具基体部４の一端側に連設され、遠隔操作棒２に対しこれの先端に一体回転可能に連結される操作棒側連結部６と、工具基体部４の他端側に設けられ、被取付器具３のジョイント部材３３の内部に回転自在に嵌入される器具側連結部１０と、器具側連結部１０の外面に突設され、ジョイント部材３３に形成された垂直溝３７ａ、水平溝３７ｂおよび止端溝３７ｃが連続する係合スリット３７に係脱する係合軸１３とを備えている。【選択図】図４
2008148401.tif 000002
【特許請求の範囲】
【請求項１】
遠隔操作棒の先端に連結されて被取付器具が着脱自在に取り付けられる先端連結工具であって、
外周面にねじ溝が形成された工具基体部と、
操作軸が外方に突設されて前記ねじ溝に螺合された固定ねじと、
前記工具基体部の一端側に連設され、前記遠隔操作棒に対しこれの先端に一体回転可能に連結される操作棒側連結部と、
前記工具基体部の他端側に連設され、前記被取付器具のジョイント部材の内部に回転自在に嵌入される器具側連結部と、
前記器具側連結部の外面に突設され、前記ジョイント部材に形成された垂直溝、水平溝および止端溝が連続する係合スリットに係脱する係合軸とを備え、
前記固定ねじの締結により、この固定ねじと前記係合軸とにより前記ジョイント部材を挟み付けて前記被取付器具を固定することを特徴とする遠隔操作棒の先端連結工具。
【請求項２】
請求項１に記載の先端連結工具を用いて被取付器具を電線などの取付対象物に遠隔操作棒による遠隔操作により取り付ける遠隔操作取付工法であって、
前記先端連結工具の操作棒側連結部を、前記遠隔操作棒の先端に一体回転可能に連結する工程と、
前記先端連結工具の器具側連結部を前記被取付器具のジョイント部材内に嵌入し、且つ前記器具側連結部の係合軸を前記被取付器具の係合スリットの止端溝に嵌入させたのちに、操作軸による回転操作で固定ねじを前記ジョイント部材の端部に押し当てて締結することにより、前記係合軸と前記固定ねじとにより前記ジョイント部材を挟み付けて前記先端連結工具に前記被取付器具を固定する工程と、
前記遠隔操作棒により前記被取付器具を持ち上げて、前記被取付器具を前記取付対象物に前記遠隔操作棒の回転操作により取り付ける工程と、
棒状体により前記固定ねじの前記操作軸を叩く操作により前記固定ねじを緩めたのち、前記遠隔操作棒の遠隔操作により前記係合軸を前記係合スリットから抜脱させて前記先端連結工具を前記被取付器具から取り外す工程とを有していることを特徴とする先端連結工具を用いた遠隔操作取付工法。
【発明の詳細な説明】
【技術分野】
【０００１】
本発明は、遠隔操作棒の先端に連結されて、接続クランプ器具や電線把持器などの汎用の被取付器具を遠隔操作により主に電線などに取り付ける用途に用いられる遠隔操作棒の先端連結工具およびこの工具を用いた遠隔操作取付工法に関するものである。
【背景技術】
【０００２】
従来、架線の配線工事などの電設作業は、既設架線である高圧線に電源を供給した活線状態で行われることが多い。これは、上記電設作業を行う高圧線の電源供給側回路を遮断した状態で配線工事を行うと、その工事中に広範囲の電力需要者に停電の影響が及ぶからである。このような電設作業は、一般に以下のような手順で行われる。すなわち、先ず、空中に架線された被覆電線の所要箇所を切断したのち、その切断により分離された一方の停電側の被覆電線に、開閉器を介設したバイパス用リードケーブルの一端を電気的に接続するとともに、そのリードケーブルの他端側を接続クランプ器具に電気的接続状態に連結する。続いて、接続クランプ器具は、地上または作業車上からの遠隔操作棒を用いた遠隔操作により、上記分離された他方の活線側の被覆電線に取り付けられる。このとき、接続クランプ器具はリードケーブルを被覆電線の芯線に電気的接続する状態に取り付けられる。これにより、リードケーブルが停電側および活線側の両被覆電線を互いに電気的接続してバイパスする。
【０００３】
上記接続クランプ器具を遠隔操作棒を用いた遠隔操作により被覆電線に取り付ける作業について、これの理解を容易にするための説明の便宜上、本発明の一実施形態を示す図２および図４を参照しながら説明する。図４において、接続クランプ器具には、これの接続端子部２９にリードケーブル３０の端部が針状電極部である接触刃２４に電気的接続状態に取り付けられている。この接続クランプ器具の下端部には、有頭円筒体に係合スリット３７が形成された汎用のジョイント部材３３が設けられている。前記係合スリット３７は、端部開口からジョント部材３３の軸心に沿って延びる垂直溝３７ａと、この垂直溝３７ａの上端からジョイント部材３３の円周方向に延びる水平溝３７ｂと、この水平溝３７ｂの端部からジョイント部材３３の軸心方向に沿って端部側に延出する止端溝３７ｃとが連続的に形成されたものである。一方、図２に示すように、先端連結工具１には、接続クランプ器具に連結する器具側連結部１０に、上記係合スリット３７に摺動自在に挿入する径を有する係合軸１３部と、圧縮コイルばね１７により突出方向に常時付勢されて出入自在に設けられたスライダー１４とを有している。
【０００４】
そして、接続クランプ器具を活線側の被覆電線に取り付けてリードケーブル３０を被覆電線の芯線に電気的接続するに際しては、先ず、先端連結工具１の係合軸１３を、係合スリット３７に挿入して図４の矢印で示すように摺動させながら、止端溝３７ｃに嵌め入れる。このとき、スライダー１４は、ジョイント部材３３の天板部（図示せず）に当接したのち圧縮コイルばね１７を圧縮させながら器具側連結部１０に没入されるので、係合軸１３が、圧縮された圧縮コイルばね１７の復元力によって止端溝３７ｃ内に保持される。これにより、接続クランプ器具が先端連結工具１を介して遠隔操作棒２の先端に取り付けられる。この状態で遠隔操作棒２により接続クランプ器具がリードケーブル３０の接続位置まで持ち上げられたのち、遠隔操作棒２による遠隔操作により、接続クランプ器具の電線保持溝２８ａに被覆電線を嵌め込ませ、続いて、遠隔操作棒２を回転操作して接続クランプ器具の接触刃２８を上昇させることにより、この接触刃２８を被覆電線の絶縁被覆材を貫通して芯線に接触させ、接触刃２８と芯線との電気的導通を得る。これにより、接続クランプ器具は、リードケーブル３０を芯線に電気的接続させた状態で被覆電線に取り付けられる。
【０００５】
上述のようにして接続クランプ器具の取り付けが終了したならば、遠隔操作棒２を上述の取り付け時とは逆の手順に操作して、係合軸１３を係合スリット３７から抜脱することにより、先端連結工具１が接続クランプ器具から取り外される。これにより、リードケーブル３０が停電側および活線側の両被覆電線を互いに電気的接続してバイパスした状態となるので、開閉器を投入することにより、停電側の被覆電線も活線状態となる。
【発明の開示】
【発明が解決しようとする課題】
【０００６】
しかしながら、従来の先端連結工具は、圧縮コイルばね１７の圧縮による復元力により係合軸１３を係合スリット３７における止端溝３７ｃに保持させることで接続クランプ器具との連結を保って支持されているだけである。そのため、遠隔操作棒２による遠隔操作で接続クランプ器具を被覆電線に取り付ける作業を行うに際しては、接続クランプ器具がぐらつく不安定な状態で先端連結工具に支持されているため、操作が容易でないから、手間取って時間を要する問題がある。また、先端連結工具に重量の大きな被取付器具３を取り付ける場合には、被取付器具３が自量により僅かに下降したときに、係合軸１３が係合スリット３７の止端溝３７ｃから抜け出して、接続クランプ器具の支持が一層不安定となるので、ときには接続クランプ器具が電線から脱落することがある。
【０００７】
上記問題を解消するために、圧縮コイルばね１７のばね力を強く設定することが考えられるが、そのようにした場合には、接続クランプ器具を電線に取り付けたのちに先端連結工具を接続クランプ器具から取り外すに際して、係合軸１３を止端溝３７ｃから抜き出すときに、強いばね力の圧縮コイルばね１７を圧縮させるために大きな押し上げ操作力を必要とするだけでなく、その大きな押し上げ力を保持したまま遠隔操作棒２を回転操作して係合軸１３を水平溝３７ｂを介して垂直溝３７ａの端部まで変位させる必要があるので、取り外し操作が困難となる。しかも、先端連結工具を大きな押し上げ力で接続クランプ器具に押し付けた状態で遠隔操作棒２により先端連結工具を回すので、接続クランプ器具が先端連結工具と共回りして、接続クランプ器具の電線に対する取付力が緩んでしまい、接続クランプ器具の電線への取付状態が不安定になる。
【０００８】
本発明は前記従来の課題に鑑みてなされたもので、被取付器具を安定、且つ確実に支持できるとともに、大きな操作力を要することなく容易に被取付器具から取り外すことができる先端連結工具およびこの先端連結工具を用いて被取付器具を電線などに安定、且つ確実に取り付けることができる取付工法を提供することを目的としている。
【課題を解決するための手段】
【０００９】
前記目的を達成するために、請求項１に係る発明の遠隔操作棒の先端連結工具は、遠隔操作棒の先端に連結されて被取付器具が着脱自在に取り付けられるものであって、外周面にねじ溝が形成された工具基体部と、操作軸が外方に突設されて前記ねじ溝に螺合された固定ねじと、前記工具基体部の一端側に連設され、前記遠隔操作棒に対しこれの先端に一体回転可能に連結される操作棒側連結部と、前記工具基体部の他端側に連設され、前記被取付器具のジョイント部材の内部に回転自在に嵌入される器具側連結部と、前記器具側連結部の外面に突設され、前記ジョイント部材に形成された垂直溝、水平溝および止端溝が連続する係合スリットに係脱する係合軸とを備え、前記固定ねじの締結により、この固定ねじと前記係合軸とにより前記ジョイント部材を挟み付けて前記被取付器具を固定することを特徴としている。
【００１０】
請求項２に係る発明の先端連結工具を用いた遠隔操作取付工法は、請求項１に係る発明の先端連結工具を用いて被取付器具を電線などの取付対象物に遠隔操作棒による遠隔操作により取り付ける遠隔操作取付工法であって、前記先端連結工具の操作棒側連結部を、前記遠隔操作棒の先端に一体回転可能に連結する工程と、前記先端連結工具の器具側連結部を前記被取付器具のジョイント部材内に嵌入し、且つ前記器具側連結部の係合軸を前記被取付器具の係合スリットの止端溝に嵌入させたのちに、操作軸による回転操作で固定ねじを前記ジョイント部材の端部に押し当てて締結することにより、前記係合軸と前記固定ねじとにより前記ジョイント部材を挟み付けて前記先端連結工具に前記被取付器具を固定する工程と、前記遠隔操作棒により前記被取付器具を持ち上げて、前記被取付器具を前記取付対象物に前記遠隔操作棒の回転操作により取り付ける工程と、棒状体により前記固定ねじの前記操作軸を叩く操作により前記固定ねじを緩めたのち、前記遠隔操作棒の遠隔操作により前記係合軸を前記係合スリットから抜脱させて前記先端連結工具を前記被取付器具から取り外す工程とを有していることを特徴としている。
【発明の効果】
【００１１】
請求項１の発明によれば、遠隔操作棒の先端に取り付けた先端連結工具の係合軸を、被取付器具におけるジョイント部材の係合スリットの垂直溝および水平軸を介して止端溝内に嵌入させて、被取付器具を仮固定した状態とし、操作軸により固定ねじを回転操作してジョイント部材の下端面に圧接状態に締め付けると、被取付器具のジョイント部材が係合軸と固定ねじとにより挟み付けられて、被取付器具を、先端連結工具に対しぐらつくおそれのない強固な結合状態で安定に連結できるので、重量の大きな被取付器具を取り付ける場合であっても、この被取付器具を先端連結工具に確実、且つ安定に支持できる状態に取り付けることができる。したがって、遠隔操作棒による遠隔操作で被取付器具を被覆電線などに取り付けるに際しては、その取り付けのための遠隔操作を容易に行えるので、手間を要することなく短時間で作業を終了して、被取付器具を電線などに脱落することのない安定な状態に取り付けできる。また、先端連結工具を被取付器具から取り外すに際しても、操作棒により固定ねじを緩めることにより、先端連結工具と被取付器具との連結ロック状態を解除できるので、大きな操作力を要することなく、係合軸を係合スリットから容易に抜脱して取り外すことができる。
【００１２】
請求項２の発明によれば、被取付器具を取付対象物に取り付けたのち、先端連結工具を被取付器具から取り外すに際しては、先端連結工具の操作軸を、固定ねじが緩む方向に棒状体で叩くように操作すれば、固定ねじが緩んで先端連結工具と被取付器具との連結ロック状態を解除できるので、遠隔操作棒を操作して、係合軸を、係合スリットの止端溝から水平溝を通って垂直溝から抜き出すことにより、先端連結工具を被取付器具から簡単に取り外しできる。
【発明を実施するための最良の形態】
【００１３】
以下、本発明の最良の実施形態について、図面を参照しながら説明する。図１および図２は本発明の一実施形態に係る先端連結工具１を示す平面図および正面図である。この先端連結工具１は、図３において後述する遠隔操作棒２の先端に連結されて、図４において後述する被取付器具３を支持しながら被覆電線に取り付ける用途に用いられるものである。この先端連結工具１は、円筒状の外体の外周面にねじ溝７が形成された工具基体部４と、この工具基体部４の一端（図の下端）にストッパ部８を介在して連設された操作棒側連結部６と、この操作棒側連結部６に設けられた連結プラグ９と、径方向両側から操作軸１２が突設されてねじ溝７に自体の雌ネジ部（図示せず）が螺合された固定ねじ１１と、工具基体部４の他端（図の上端）に連設された器具側連結部１０と、器具側連結部１０の径方向両側から突設された係合軸１３と、器具側連結部１０の他端部（図の上端部）に出入自在に設けられたスライダー１４と、このスライダー１４を突出方向に付勢する圧縮コイルばね１７とを備えて構成されている。スライダー１４は、通常時、圧縮コイルばね１７の付勢力によりストッパピン１８が器具側連結部１０の外体の内面に当接した状態に保持されている。
【００１４】
この先端連結工具１は、図３に示す遠隔操作棒２の先端に連結して用いられるものである。遠隔操作棒２は、周知のものであるので、簡単に説明すると、全体として電気絶縁製素材により形成された棒状を呈し、下端部に設けられた回転操作部１９と、作業員が一方の手で把持するためのグリップ部２０と、このグリップ部２０の上端に設けられた鍔部２１と、この鍔部２１と先端との中間部に設けられた雨覆２２とを備えている。上記回転操作部１９には、回転量が予め設定されるトルクリミッター（図示せず）が装備されているとともに、この遠隔操作棒２の内部には回転操作部１９と一体回転する回転部材が収容されている。
【００１５】
上記遠隔操作棒２の先端に先端連結工具１を連結するに際しては、遠隔操作棒２の上端開口から先端連結工具１の操作棒側連結部６を挿入させて、図２に２点鎖線で示すように、遠隔操作棒２の上端面を先端連結工具１のストッパ部８に当接させた時点で、遠隔操作棒２に内装された上記回転部材が連結プラグ９に一体回転可能に連結されて、先端連結工具１が遠隔操作棒２の先端に取り付けられる。この連結状態では、遠隔操作棒２の回転操作部１９を何れかの方向に回転操作すると、その回転操作方向に先端連結工具１の全体が一体回転されるようになっている。
【００１６】
続いて、先端連結工具１に取り付ける被取付器具３について説明する。被取付器具３としては、種々のものが先端連結工具１の取付対象となるが、この実施形態では、被取付器具３として、バイパス線用のリードケーブルを活線側の被覆電線に電気的導通状態で機械的に取り付ける用途に用いられる接続クランプ器具を例示してある。この接続クランプ器具からなる被取付器具３は、図４に示すように、ほぼＣ字状の形状となったクランプ本体２３の下方箇所に、後述する被覆電線の絶縁被覆材を貫通する接触刃２４を装備した可動接触台２７が配置されている。接触刃２４は断面正三角形の三角柱形状を有している。クランプ本体２３の上部には、接触刃２４と相対向する配置で電線保持部２８が設けられており、この電線保持部２８には、保持すべき被覆電線の直径にほぼ等しい径の半円部分を有するほぼＵ字形状の電線保持溝２８ａが形成されている。この電線保持溝２８ａは、これに嵌め入れられた被覆電線の外周面に密着する圧着状態で面接触して、被覆電線を動かないように確実に保持できる形状になっている。
【００１７】
上記可動接触台２７には、その一端部（図４の右端部）から斜め下方に向け延出した接続端子部２９が一体形成されており、この接続端子部２９にバイパス用リードケーブル３０の端部が電気的接続状態で取り付けられている。このように、リードケーブル３０は、接続端子部２９に取り付けられることにより、可動接触台２７の内部配線を通じて接触刃２４に電気的に導通状態となる。
【００１８】
上記可動接触台２７の底部には、クランプ本体２３の下端基部のねじ孔２３ａに螺合したねじ軸３１の頭部が回転可能に接続されている。一方、クランプ本体２３には、ねじ軸３１と平行に延びるスライドガイド部２３ｂが設けられており、このスライドガイド部２３ｂに、可動接触台２７の他端部（図４の左端部）から延設された係合腕部３２がスライド可能に係合している。これにより、ねじ軸３１が回転されたときには、可動接触台２７が、回転することなしにスライドガイド部２３ｂに沿って図の上下方向に移動されるので、接触刃２４は、電線保持溝２８ａに対し接近方向または離間方向に移動される。
【００１９】
上記ねじ軸３１の下端部は、本体部分が有頭円筒状となったジョイント部材３３に対し固定ねじ３４により固定されている。このジョイント部材３３の有頭円筒状の本体部分には、係合軸１３が挿抜される係合スリット３７が形成されている。この係合スリット３７は、係合軸１３の直径よりも僅かに大きな幅を有し、下端からジョイント部材３３の軸心に沿って延びる垂直溝３７ａと、この垂直溝３７ａの上端からジョイント部材３３の円周方向に延びる水平溝３７ｂと、この水平溝３７ｂの溝端から垂直溝３７ａと平行に下方に延びる止端溝３７ｃとが連続して形成されている。なお、図２に示すように、先端連結工具１は、器具側連結部１０の径方向両側からそれぞれ突設された２つの係合軸１３を有しているので、これに対応して、被取付器具３のジョイント部材３３にも、これの径方向両側に図４に示したと同形状の係合スリット３７がそれぞれ形成されている。
【００２０】
つぎに、上記先端連結工具１を先端に連結した遠隔操作棒２による遠隔操作により被取付器具３を被覆電線に取り付ける工法について説明する。先ず、先端連結工具１の操作棒側連結部６を遠隔操作棒２に対し上端開口から挿入させて、遠隔操作棒２の上端面を操作棒側連結部６のストッパ部８に当接させると、遠隔操作棒２に内装された回転部材が連結プラグ９に一体回転可能に連結されることにより、図３に示すように、先端連結工具１を遠隔操作棒２の先端に連結する。
【００２１】
続いて、地上において、図４の矢印で示すように、遠隔操作棒２の先端に取り付けた先端連結工具１の係合軸１３を、被取付器具３におけるジョイント部材３３の係合スリット３７の垂直溝３７ａに沿わせて挿入しながら、器具側連結部１０をジョイント部材３３内に嵌入させ、係合軸１３が垂直溝３７ａの上端に達したのち、水平溝３７ｂに沿って移動するように被取付器具３または先端連結工具１を相対回転させ、係合軸１３が水平溝３７ｂの左端に達した時点で、先端連結工具１をジョイント部材３３へ挿入している操作力を緩めると、図２の圧縮コイルばね１７を圧縮させながら器具側連結部１０内に没入されているスライダー１４が圧縮コイルばね１７の復元力で器具側連結部１０から突出される力を受けて、係合軸１３が止端溝３７ｃ内に自動的に押し込まれたのち、この状態に保持される。これにより、図５に示すように、被取付器具３が先端連結工具１に仮固定された状態となる。
【００２２】
上記被取付器具３を仮固定した状態において、操作軸１２により固定ねじ１１を回転操作することにより、固定ねじ１１を、ねじ軸３１に沿って上方へ螺進させて、図５に示すように、ジョイント部材３３の下端面に圧接状態に締め付ける。したがって、被取付器具３は、ジョイント部材３３の下部が係合軸１３と固定ねじ１１とにより上下から挟み付けられて、先端連結工具１に対し、ぐらつくおそれのない強固な結合状態で安定に連結されるので、被取付器具３が重量の大きなものであっても、この被取付器具３を先端連結工具１に確実、且つ安定に支持できる状態に取り付けることができる。
【００２３】
上述のように、遠隔操作棒２の先端に先端連結工具１を介して被取付器具３を取り付けたならば、遠隔操作棒２を持ち上げて、図５に示すように、被取付器具３の電線保持溝２８ａ内に、接続端子部２９に接続しているリードケーブル３０を接続すべき被覆電線３９を嵌入させるように遠隔操作棒２を操作して、被覆電線３９に引っ掛ける。続いて、図３の遠隔操作棒２の下端の回転操作部１９を把持して正方向に回転操作すると、この回転が、遠隔操作棒２に収容されている回転部材、先端連結工具および被取付器具３のジョイント部材３３を介してねじ軸３１に伝達される。そのため、ねじ軸３１は、クランプ本体２３に対し、ねじ孔２３ａから上方へ突出する相対方向に移動されていくので、このねじ軸３１の上端が回転自在に支持されている可動接触台２７が上昇されて接触刃２４が被覆電線３９に向かって進んでいく。
【００２４】
そして、図６に示すように、接触刃２４の刃先は、被覆電線３９の絶縁被覆材３９ｂに切り込んでいき、やがて芯線３９ａに接触して電気的に導通する。このとき、遠隔操作棒２の回転操作部１９をこれに内蔵されたトルクリミッターが「カチッ」と音がなるまで回転操作して締め付けることにより、接触刃２４と芯線３９ａとの確実な電気的導通を得ることができる。これにより、一端が停電側の被覆電線に予め接続されたリードケーブル３０は、その他端側が活線側の被覆電線３９に接続されるので、リードケーブル３０が、切断して分離した両側の被覆電線３９を互いに接続するバイパス線となる。
【００２５】
続いて、先端連結工具１を被取付器具３から取り外すに際しては、図６に示すように、先端連結工具１の何れか一方の操作軸１２を、固定ねじ１１が緩む方向に棒状体４０で叩くように操作して、２本の操作軸１２を棒状体で交互に同じ方向に叩く操作を繰り返す。この結果、図７に示すように、固定ねじ１１が緩んで先端連結工具１と被取付器具３との連結ロック状態が解除される。続いて、図８に示すように、遠隔操作棒２を操作して、係合軸１３を、係合スリット３７の止端溝３７ｃから水平溝３７ｂを通って垂直溝３７ａから抜き出すと、先端連結工具１が被取付器具３から外れる。この取り外し操作時には、図２の圧縮コイルばね１７のばね力が係合軸１３を止端溝３７ｃに保持するように作用しているが、この先端連結工具１は、従来工具のように圧縮コイルばね１７のばね力で被取付器具３を保持するものとは異なり、固定ねじ１１の締結により被取付器具３を強固に連結して支持する構造になっているから、圧縮コイルばね１７は弱いばね力に設定されており、先端連結工具１の被取付器具３から取り外し操作に際し大きな操作力を必要とせず、容易に取り外しできる。
【００２６】
上記実施形態の先端連結工具１は、既存の先端連結工具に対して、工具基体部４にねじ溝７を形成して、このねじ溝７に固定ねじ１１を螺合させる改造を行うことで安価に製作することができる。そのため、上記実施形態では、既存の先端連結工具が有する圧縮コイルばね１７およびスライダー１４をそのまま残存した場合を例示しているが、この圧縮コイルばね１７およびスライダー１４は、固定ねじ１１の締結により被取付器具３を強固に連結して支持できることから、除外することもできる。除外した場合には、構成の簡素化に伴ってコストダウンを図ることができるとともに、係合軸１３を係合スリット３７に対し係合および係合解除する際にばね力が作用しないことから、先端連結工具１の被取付器具３に対する取り付けおよび取り外しの操作が一層容易となる利点がある。
【００２７】
なお、上記実施形態では、被取付器具３として、接触刃２４を有する接続クランプ器具を用いる場合を例示して説明したが、本発明の先端連結工具１は、被覆電線３９の絶縁被覆材３９ｂを所定長さだけ剥がして露出させた芯線３９ａに固定ダイスと可動ダイスを挟着させて電気的導通を得るタイプの接続クランプ器具や電線把持器などを被取付器具の対象として用いる場合にも適用することができる。但し、その場合、それらの被取付器具には、垂直溝３７ａ、水平溝３７ｂおよび止端溝３７ｃが連続形成されてなる係合スリット３７を有する汎用のジョイント部材３３を備えていることが条件となる。また、係合スリット３７は、図４に２点鎖線で示すように、垂直溝３７ａ、水平溝３７ｂおよび止端溝３７ｃを線対象に一対ずつ備えたほぼＴ字形状とすることもでき、その場合、取付時において、先端連結工具１または被取付器具３を相対回転させるときの回転方向が任意となる利点がある。
【産業上の利用可能性】
【００２８】
この発明は、係合軸を被取付器具におけるジョイント部材の係合スリットに嵌入させて被取付器具を仮固定したのちに、操作軸により固定ねじを回転操作してジョイント部材の下端面に圧接状態に締め付けることにより、被取付器具のジョイント部材を係合軸と固定ねじとにより挟み付けて被取付器具をぐらつくおそれのない強固な結合状態で安定に連結できる構成を有しているので、重量の大きな被取付器具を取り付ける場合であっても、この被取付器具を確実、且つ安定に支持できる状態に取り付けることができるとともに、被取付器具から取り外すに際しても、操作棒により固定ねじを緩めることにより、先端連結工具と被取付器具との連結ロック状態を解除できるので、大きな操作力を要することなく、係合軸を係合スリットから容易に抜脱して取り外すことができる顕著な効果を奏する先端連結工具を提供することができる。
【図面の簡単な説明】
【００２９】
【図１】本発明の一実施形態に係る先端連結工具を示す平面図
【図２】同上の先端連結工具を示す正面図
【図３】同上の先端連結工具を遠隔操作棒に連結した状態の正面図
【図４】同上の先端連結工具に被取付器具を取り付ける際の相対位置を示す正面図
【図５】同上の先端連結工具に被取付器具を取り付けた状態の正面図
【図６】同上の被取付器具を被覆電線に電気的導通状態で取り付けた状態の正面図
【図７】同上の先端連結工具と被取付器具との連結ロック状態を解除した状態の正面図
【図８】同上の先端連結工具を被取付器具から取り外した状態の正面図
【符号の説明】
【００３０】
１  先端連結工具
２  遠隔操作棒
３  被取付器具
４  工具基体部
６  操作棒側連結部
７  ねじ溝
１０  器具側連結部
１１  固定ねじ
１２  操作軸
１３  係合軸
３３  ジョイント部材
３７  係合スリット
３７ａ  垂直溝
３７ｂ  水平溝
３７ｃ  止端溝
３９  被覆電線（取付対象物）
４０  棒状体
【図１】
2008148401.tif 000003
【図２】
2008148401.tif 000004
【図３】
2008148401.tif 000005
【図４】
2008148401.tif 000006
【図５】
2008148401.tif 000007
【図６】
2008148401.tif 000008
【図７】
2008148401.tif 000009
【図８】
2008148401.tif 000010